(57)【要約】【課題】顧客が所望の取引に係る必要事項を容易に入力できるようにする。【解決手段】顧客操作型端末装置の制御部１１は、顧客の取引に必要な入力項目を決定し、一つ以上の読取対象媒体を撮影し、当該一つ以上の読取対象媒体を画像として取り込み、取り込まれた画像内に存在する読取対象媒体を検出し、検出された読取対象媒体の種別を判定し、検出された読取対象媒体から、決定された入力項目に対応する文字列を読み取り、当該読み取った入力項目に対応する文字列のデータを、判定された当該読取対象媒体の種別を示す種別データと関連付けて、第１の記憶部に記憶し、第１の記憶部に記憶されているデータの中から、決定された入力項目に対応する文字列のデータを、データ抽出に関する読取対象媒体の優先順位に従って抽出し、当該抽出した入力項目に対応する文字列のデータを第２の記憶部に記憶する、等の処理を行う。【選択図】図２
2013073397.tif 000002
【特許請求の範囲】
【請求項１】
顧客の取引に必要な入力項目を決定する決定部と、
一つ以上の読取対象媒体を撮影し、当該一つ以上の読取対象媒体を画像として取り込む取込部と、
前記取込部により取り込まれた画像内に存在する読取対象媒体を検出する検出部と、
前記検出部により検出された読取対象媒体の種別を判定する判定部と、
前記検出部により検出された読取対象媒体から、前記決定部により決定された入力項目に対応する文字列を読み取り、当該読み取った入力項目に対応する文字列のデータを、前記判定部により判定された当該読取対象媒体の種別を示す種別データと関連付けて、第１の記憶部に記憶する読取部と、
前記第１の記憶部に記憶されているデータの中から、前記決定部により決定された入力項目に対応する文字列のデータを、データ抽出に関する読取対象媒体の優先順位に従って抽出し、当該抽出した入力項目に対応する文字列のデータを第２の記憶部に記憶する抽出部と、
を備えることを特徴とする顧客操作型端末装置。
【請求項２】
前記読取部は、前記読取対象媒体が、発行年月日、交付年月日、又は有効期限を読み取り可能な読取対象媒体であった場合には、当該発行年月日、交付年月日、又は有効期限を読み取り、当該読み取った発行年月日、交付年月日、又は有効期限のデータも更に関連付けて第１の記憶部に記憶する、
ことを特徴とする請求項１記載の顧客操作型端末装置。
【請求項３】
前記抽出部は、前記第１の記憶部に記憶されているデータの中から、前記決定部により決定された入力項目に対応する文字列のデータとして住所の入力項目に対応する文字列のデータを抽出する場合には、更に、前記発行年月日又は交付年月日のデータに基づいて、前記住所の入力項目に対応する文字列のデータを抽出する、
ことを特徴とする請求項２記載の顧客操作型端末装置。
【請求項４】
前記抽出部は、前記顧客の取引が、支払方法の選択が許容されている取引である場合には、更に、前記第１の記憶部に記憶されているデータの中から、支払いに必要なデータを、前記有効期限のデータと支払方法に関する読取対象媒体の優先順位とに基づいて抽出し、当該抽出した支払いに必要なデータを前記第２の記憶部に記憶する、
ことを特徴とする請求項２又は３記載の顧客操作型端末装置。
【請求項５】
顧客操作型端末装置の取引データ生成方法であって、
顧客の取引に必要な入力項目を決定し、
一つ以上の読取対象媒体を撮影し、当該一つ以上の読取対象媒体を画像として取り込み、
前記取り込まれた画像内に存在する読取対象媒体を検出し、
前記検出された読取対象媒体の種別を判定し、
前記検出された読取対象媒体から、前記決定された入力項目に対応する文字列を読み取り、当該読み取った入力項目に対応する文字列のデータを、前記判定された当該読取対象媒体の種別を示す種別データと関連付けて、第１の記憶部に記憶し、
前記第１の記憶部に記憶されているデータの中から、前記決定された入力項目に対応する文字列のデータを、データ抽出に関する読取対象媒体の優先順位に従って抽出し、当該抽出した入力項目に対応する文字列のデータを第２の記憶部に記憶する、
ことを特徴とする取引データ生成方法。
【請求項６】
顧客操作型端末装置のコンピュータを、
顧客の取引に必要な入力項目を決定する決定手段、
一つ以上の読取対象媒体を撮影し、当該一つ以上の読取対象媒体を画像として取り込む取込部により取り込まれた画像内に存在する読取対象媒体を検出する検出手段、
前記検出手段により検出された読取対象媒体の種別を判定する判定手段、
前記検出手段により検出された読取対象媒体から、前記決定手段により決定された入力項目に対応する文字列を読み取り、当該読み取った入力項目に対応する文字列のデータを、前記判定手段により判定された当該読取対象媒体の種別を示す種別データと関連付けて、第１の記憶部に記憶する読取手段、
前記第１の記憶部に記憶されているデータの中から、前記決定手段により決定された入力項目に対応する文字列のデータを、データ抽出に関する読取対象媒体の優先順位に従って抽出し、当該抽出した入力項目に対応する文字列のデータを第２の記憶部に記憶する抽出手段、
として機能させるためのプログラム。
【発明の詳細な説明】
【技術分野】
【０００１】
本発明は、銀行等の金融機関に設置される顧客操作型端末装置に関する。
【背景技術】
【０００２】
従来、銀行等の金融機関では、顧客による入金、出金、振込、税公金の支払い等といった取引が受付カウンターにて行われている。この取引では、顧客は、受付カウンターの前に設けられた記帳台にて、所望の取引に係る帳票に、取引に必要な事項（例えば氏名等）を手書きで記入する必要があった。
【０００３】
一方、このような手書きによる必要事項の記入といった顧客の煩わしさを無くす等の目的のために、取引専用の顧客操作型端末装置の導入が予定されている金融機関もある。この顧客操作型端末装置では、顧客は、所望の取引に係る必要事項を、表示画面上のタッチパネルを操作して、入力することになる。なお、この顧客操作型端末装置では、ＡＴＭ（Automated Teller Machine）等の自動機とは異なり、キャッシュカードや通帳等の挿入は行われない。
【０００４】
ところで、消費者金融の営業店に設置される無人契約機として、例えば、次のような顧客操作型端末装置が知られている。この装置では、帳票や身分証明書等の読み取り対象のセット位置を顧客操作表示部の画面上とし、その上方から読み取りを行うダイレクトスキャナーや電子カメラ等の読み取り手段を配置したことにより、操作性の向上や読み取り対象の取り忘れ防止等を可能にしている（例えば特許文献１参照）。
【０００５】
また、カード記載情報読み取り・印刷装置として、例えば、カード表面に記載された情報を光学式に読み取る読み取り装置と、メモリーカードの情報を読み書きする読み書き装置と、必要情報を入力するための入力装置と、読み取り装置で読み取られた情報とメモリーカード読み書き装置で読み取られた情報と入力装置で入力された情報に基づいて用紙に必要事項を印刷するプリンタとを備えたことにより、短時間で記入ミスや誤字、脱字なく、カード記載情報に基づく書類作成を可能にした装置が知られている（例えば特許文献２参照）。
【０００６】
さらに、住所録管理装置を備えたカメラ付き携帯用端末機として、例えば、文字を撮影して文字映像信号を出力するためのカメラ部と、文字映像信号をデジタル映像データに変換する映像処理部と、デジタル映像データを、文字認識プログラムを利用して文字データに変換するための文字変換部等を備えたことにより、カメラを使って名刺から文字情報を読み取り、そのデータを住所録に登録、管理することができるようにした装置が知られている（例えば特許文献３参照）。
【先行技術文献】
【特許文献】
【０００７】
【特許文献１】特開２００５−１８４３６１号公報
【特許文献２】特開平１０−２７２８１７号公報
【特許文献３】特開２００５−６５２８６号公報
【発明の概要】
【発明が解決しようとする課題】
【０００８】
上述のように、取引専用の顧客操作型端末装置を利用して取引が行われる場合、顧客は、所望の取引に係る必要事項を手書きで記入するといった煩わしさから開放される。しかしながら、その一方で、顧客は、所望の取引に係る必要事項をタッチパネルを操作して入力する必要がある。タッチパネル操作は、手書きと比べると煩わしさは少ないが、完全に煩わしさから開放される訳ではない。そこで、タッチパネル操作という煩わしさからも少しでも開放されるように、例えば、上記の無人契約機としての顧客操作型端末装置の読み取り手段等を組み合わせて、読み取り対象から所望の取引に係る必要事項の一部（例えば顧客の情報）だけでも読み取るようにする方法が考えられる。しかしながら、この方法を採用すると、顧客が、例えば、読み取り手段による読み取り対象となり得る媒体を複数所持していた場合であって且つ何れの媒体を読み取り手段に読み取らせるべきなのかを判断できない場合には、不適切な媒体がセットされて所望の取引に係る必要事項の一部でさえも読み取れない虞がある。これは、上記の無人契約機としての顧客操作型端末装置の読み取り手段等の代わりに、上記のカード記載情報読み取り・印刷装置の読み取り装置等や、上記のカメラ付き携帯用端末器のカメラ等を組み合わせた場合であっても、同様に起こり得る。
【０００９】
本発明は、上記実情に鑑み、顧客が所望の取引に係る必要事項を容易に入力することができる、顧客操作型端末装置、取引データ生成方法、及びプログラムを提供することを目的とする。
【課題を解決するための手段】
【００１０】
装置の一観点によれば、顧客操作型端末装置であって、顧客の取引に必要な入力項目を決定する決定部と、一つ以上の読取対象媒体を撮影し、当該一つ以上の読取対象媒体を画像として取り込む取込部と、前記取込部により取り込まれた画像内に存在する読取対象媒体を検出する検出部と、前記検出部により検出された読取対象媒体の種別を判定する判定部と、前記検出部により検出された読取対象媒体から、前記決定部により決定された入力項目に対応する文字列を読み取り、当該読み取った入力項目に対応する文字列のデータを、前記判定部により判定された当該読取対象媒体の種別を示す種別データと関連付けて、第１の記憶部に記憶する読取部と、前記第１の記憶部に記憶されているデータの中から、前記決定部により決定された入力項目に対応する文字列のデータを、データ抽出に関する読取対象媒体の優先順位に従って抽出し、当該抽出した入力項目に対応する文字列のデータを第２の記憶部に記憶する抽出部とを備える。
【００１１】
方法の一観点によれば、顧客操作型端末装置の取引データ生成方法であって、顧客の取引に必要な入力項目を決定し、一つ以上の読取対象媒体を撮影し、当該一つ以上の読取対象媒体を画像として取り込み、前記取り込まれた画像内に存在する読取対象媒体を検出し、前記検出された読取対象媒体の種別を判定し、前記検出された読取対象媒体から、前記決定された入力項目に対応する文字列を読み取り、当該読み取った入力項目に対応する文字列のデータを、前記判定された当該読取対象媒体の種別を示す種別データと関連付けて、第１の記憶部に記憶し、前記第１の記憶部に記憶されているデータの中から、前記決定された入力項目に対応する文字列のデータを、データ抽出に関する読取対象媒体の優先順位に従って抽出し、当該抽出した入力項目に対応する文字列のデータを第２の記憶部に記憶する。
【００１２】
プログラムの一観点によれば、顧客操作型端末装置のコンピュータを、顧客の取引に必要な入力項目を決定する決定手段、一つ以上の読取対象媒体を撮影し、当該一つ以上の読取対象媒体を画像として取り込む取込部により取り込まれた画像内に存在する読取対象媒体を検出する検出手段、前記検出手段により検出された読取対象媒体の種別を判定する判定手段、前記検出手段により検出された読取対象媒体から、前記決定手段により決定された入力項目に対応する文字列を読み取り、当該読み取った入力項目に対応する文字列のデータを、前記判定手段により判定された当該読取対象媒体の種別を示す種別データと関連付けて、第１の記憶部に記憶する読取手段、前記第１の記憶部に記憶されているデータの中から、前記決定手段により決定された入力項目に対応する文字列のデータを、データ抽出に関する読取対象媒体の優先順位に従って抽出し、当該抽出した入力項目に対応する文字列のデータを第２の記憶部に記憶する抽出手段、として機能させるためのプログラムである。
【発明の効果】
【００１３】
開示の装置、方法、及びプログラムは、顧客が所望の取引に係る必要事項を容易に入力することができる、という効果を奏する。
【図面の簡単な説明】
【００１４】
【図１】一実施の形態に係る顧客操作型端末装置の一例を示す図である。
【図２】一実施の形態に係る顧客操作型端末装置のシステム構成例を示す図である。
【図３】一実施の形態に係る顧客操作型端末装置で行われる取引データ自動生成処理の一例を示すフローチャートである。
【図４】媒体判別処理（Ｓ１０５）の一例を示すフローチャートである。
【図５】非定型媒体処理（Ｓ２０６）の一例を示すフローチャートである。
【図６】取引データ作成処理（Ｓ１０６）の一例を示すフローチャートである。
【図７】同一項目判定処理（Ｓ４０４）の一例を示すフローチャートである。
【図８】支払方法選択処理（Ｓ４０８）の一例を示すフローチャートである。
【図９】顧客側表示装置に表示された取引選択画面の一例である。
【図１０】顧客側表示装置に表示された不足データ入力画面の一例である。
【図１１】顧客側表示装置に表示された確認画面の一例である。
【図１２】顧客側表示装置に表示された取引データ確認画面の一例である。
【図１３】撮影台上に載置された複数の読取対象媒体の一例を示す図である。
【図１４】顧客側表示装置に表示された選択画面の一例を示す図である。
【図１５】コンピュータシステムの構成例を示す図である。
【発明を実施するための形態】
【００１５】
以下、図面を参照しながら本発明の実施の形態を説明する。
なお、以下の説明では、一実施の形態に係る顧客操作型端末装置が銀行に設置されるものとするが、例えば、銀行以外の他の金融機関に設置されるものとすることも勿論可能である。
【００１６】
図１は、銀行の受付カウンターに設置された、一実施の形態に係る顧客操作型端末装置の一例を示す図である。なお、図１では、図の手前側を顧客側とし、図の奥側を行員側とする。
【００１７】
図１に示したように、顧客操作型端末装置は、装置本体１、顧客側表示装置２、撮影カメラ３、撮影台４、行員側表示装置５を含む。装置本体１は、受付カウンターの顧客側から見て右側に設けられる。顧客側表示装置２、撮影カメラ３、撮影台４は、受付カウンターの上に設けられる。行員側表示装置５は、受付カウンターの行員側に設けられる。なお、顧客側表示装置２と行員側表示装置５は何れもタッチパネル機能を有し、表示画面上のタッチパネルを操作することによって各種の入力が可能である。
【００１８】
このような受付カウンターでは、顧客は、入金、出金、振込、税公金の支払い等といった所望の取引を行う際に、取引に必要な事項を顧客側表示装置２のタッチパネルを操作して入力する。但し、顧客は、取引に必要な事項を入力する際に、一つ以上の読取対象媒体を撮影台４上に載置し、それを顧客側表示装置２のタッチパネル又は撮影カメラ３のシャッターボタンを操作して撮影カメラ３に撮影させることによって入力することも可能である。
【００１９】
なお、読取対象媒体とは、例えば、自他金融機関のキャッシュカード、クレジットカード、通帳、振込券、及び前の取引で使用した帳票や、運転免許証、保険証、手書きのメモ紙等である。なお、自金融機関の読取対象媒体には、提携先金融機関の読取対象媒体も含まれる。
【００２０】
装置本体１では、顧客により入力された必要事項に基づいて取引データが自動生成される。なお、顧客により入力された必要事項や自動生成された取引データは、行員側表示装置５に表示され、行員は、それを必要に応じて行員側表示装置５のタッチパネルを操作して修正すること等が可能である。
【００２１】
また、この受付カウンターでは、入金時の紙幣及び硬貨の取込／返却と、出金時の紙幣及び硬貨の放出が、装置本体１の紙幣投入部１ａ及び硬貨投入部１ｂを介して行われる。
このように、この受付カウンターでは、顧客は、顧客操作型端末装置を利用して取引を行うことになるが、これを利用しない従来の方法（例えば所望の取引に係る帳票に手書きで必要事項を記入する等）により取引を行うことも勿論可能である。
【００２２】
図２は、本実施形態に係る顧客操作型端末装置のシステム構成例を示す図である。
図２に示したように、顧客操作型端末装置は、制御部１１、紙幣ユニット１２、硬貨ユニット１３、顧客側表示装置２、行員側表示装置５、撮影カメラ３、ＵＰＳ（Uninterruptible Power Supply，無停電電源装置）１４、記録装置１５、内部時計１６、ＵＳＢ（Universal Serial Bus）端子１７、ＲＳ２３２Ｃ（Recommended Standard 232 version C）端子１８、ＬＡＮ（Local Area Network）端子１９を含む。
【００２３】
なお、図２において、制御部１１、紙幣ユニット１２、硬貨ユニット１３、ＵＰＳ１４、記録装置１５、内部時計１６、ＵＳＢ端子１７、ＲＳ２３２Ｃ端子１８、ＬＡＮ端子１９は、図１に示した装置本体１に含まれる。
【００２４】
制御部１１は、顧客操作型端末装置の各部を制御し、顧客操作型端末装置の全体動作を制御する。なお、制御部１１は、ＣＰＵ（Central Processing Unit）、ＲＯＭ（Read Only Memory）、ＲＡＭ（Random Access Memory）等を含み、ＣＰＵがＲＯＭに記憶されているプログラムを読み出し実行することによって、その制御を行う。また、ＲＡＭには、読取対象媒体から読み取られた文字列のデータ等が格納される第１テーブルと、第１テーブルから抽出されたデータ等が格納される第２テーブル等が記憶される。なお、ＲＡＭに記憶される第１テーブルは第１の記憶部の一例であり、ＲＡＭに記憶される第２テーブルは第２の記憶部の一例である。
【００２５】
紙幣ユニット１２は、図１に示した紙幣投入部１ａを含み、入金時の紙幣の取込／返却と、出金時の紙幣の放出等を行う。硬貨ユニット１３は、図１に示した硬貨投入部１ｂを含み、入金時の硬貨の取込／返却と、出金時の硬貨の放出等を行う。
【００２６】
顧客側表示装置２は、表示部２ａとタッチパネル部２ｂを含み、表示部２ａの表示画面上にタッチパネル部２ｂのタッチパネルが設けられる。これにより、顧客は、顧客側表示装置２の表示画面上のタッチパネルを操作することにより、各種の入力を行うことができる。
【００２７】
行員側表示装置５は、表示部５ａとタッチパネル部５ｂを含み、表示部５ａの表示画面上にタッチパネル部５ｂのタッチパネルが設けられる。これにより、行員は、行員側表示装置５の表示画面上のタッチパネルを操作することにより、各種の入力を行うことができる。
【００２８】
撮影カメラ３は、例えば電子カメラ等の撮像装置であり、撮影台４に載置されている読取対象媒体を撮影し、撮影台４に載置されている読取対象媒体を画像（画像データ）として取り込む。なお、撮影カメラ３は取込部の一例である。
【００２９】
ＵＰＳ１４は、例えば電池や発電機等を内蔵し、停電時でも、一定時間、顧客操作型端末装置に電力を供給するための装置である。記録装置１５は、例えばメモリやハードディスク装置あり、各種のデータを記録する。内部時計１６は、例えば顧客操作型端末装置内の時間管理等に用いられる。
【００３０】
ＵＳＢ端子１７は、顧客操作型端末装置に例えばプリンタ２０等の外部機器をＵＳＢにより接続するための端子である。ＲＳ２３２Ｃ端子１８は、顧客操作型端末装置に外部機器をＲＳ２３２Ｃにより接続するための端子である。ＬＡＮ端子１９は、顧客操作型端末装置をＬＡＮに接続するための端子である。
【００３１】
なお、制御部１１において、ＣＰＵがＲＯＭに格納されているプログラムを読み出し実行することによって、例えば、顧客の取引に必要な入力項目を決定する決定部（決定手段）と、取込部により取り込まれた画像内に存在する読取対象媒体を検出する検出部（検出手段）と、検出部により検出された読取対象媒体の種別を判定する判定部（判定手段）と、検出部により検出された読取対象媒体から、決定部により決定された入力項目に対応する文字列を読み取り、当該読み取った入力項目に対応する文字列のデータを、判定部により判定された当該読取対象媒体の種別を示す種別データと関連付けて、第１の記憶部に記憶する読取部（読取手段）と、第１の記憶部に記憶されているデータの中から、決定部により決定された入力項目に対応する文字列のデータを、データ抽出に関する読取対象媒体の優先順位に従って抽出し、当該抽出した入力項目に対応する文字列のデータを第２の記憶部に記憶する抽出部（抽出手段）等が実現される。
【００３２】
次に、本実施形態に係る顧客操作型端末装置の動作について説明する。
図３、図４、図５、図６、図７、図８は、顧客が顧客操作型端末装置を利用して所望の取引を行うときに顧客操作型端末装置で行われる取引データ自動生成処理の一例を示すフローチャートである。また、図９、図１０、図１１、図１２は、その処理中に顧客側表示装置２に表示される表示画面の一例である。また、図１３は、撮影台４に載置された複数の読取対象媒体の一例である。
【００３３】
図３に示したように、この取引データ自動生成処理では、まず制御部１１が、取引選択画面を顧客側表示装置２に表示する（Ｓ１０１）。この取引選択画面では、顧客は、画面上のタッチパネル操作により、入金（預入れ）、出金（引出し）、振込、税公金の支払い等といった取引の中から所望の取引を選択することができる。
【００３４】
図９は、Ｓ１０１で顧客側表示装置２に表示された取引選択画面の一例である。図９に示した例では、顧客は、タッチパネル操作により、取引選択画面内の「お引出し」ボタン３１、「お預入れ」ボタン３２、「お振込」ボタン３３、「税金・料金払込み」ボタン３４の中から所望の取引に係るボタンを押下することにより、所望の取引を選択することができる。
【００３５】
図３において、Ｓ１０１で顧客側表示装置２に表示された取引選択画面から顧客が所望の取引を選択すると、制御部１１は、選択された取引に応じて、当該取引に必要な入力項目を決定すると共に、制御部１１のＲＡＭに記憶されている第１テーブル及び第２テーブルに格納されているデータをクリアする（Ｓ１０２）。
【００３６】
なお、取引に必要な入力項目とは、例えば、取引が「お引出し」である場合には、引出口座の預金種目、店番号、口座番号、氏名等であり、取引が「お預入れ」である場合には、預入口座の預金種目、店番号、口座番号、氏名等である。また、例えば、取引が「お振込」である場合には、受取人口座の支店名、預金種目、口座番号、氏名等と、依頼人の氏名、電話番号等と、引出口座の預金種目、店番号、口座番号等である。また、例えば、取引が「税金・料金払込み」である場合には、氏名、電話番号等と、引出口座の預金種目、店番号、口座番号等である。
【００３７】
続いて、制御部１１は、顧客が所持する一つ以上の読取対象媒体を撮影台４上に載置するよう顧客に促すためのメッセージ画面を顧客側表示装置２に表示する（Ｓ１０３）。そして、顧客が、一つ以上の読取対象媒体を撮影台４上に、はみ出すことなく且つ重なることなく載置した後、タッチパネル操作により、Ｓ１０３で顧客側表示装置２に表示されたメッセージ画面内の例えば読取ボタンを押下すると、制御部１１は、撮影台４上に載置されている全ての読取対象媒体を撮影カメラ３により同時に撮影し、画像（画像データ）として取り込む（Ｓ１０４）。
【００３８】
図１３は、このときに撮影台４上に載置された複数の読取対象媒体の一例を示す図である。図１３に示した例では、撮影台４上に、キャッシュカード４１、振込券４２、運転免許証４３、前の取引で使用した帳票４４、通帳４５、手書きのメモ紙４６が載置されている。
【００３９】
図３において、Ｓ１０４が終了すると、続いて制御部１１は、媒体判別処理を行う（Ｓ１０５）。
図４は、その媒体判別処理（Ｓ１０５）の一例を示すフローチャートである。
【００４０】
図４に示したように、この媒体判別処理では、まず制御部１１が、予め規定されている読取対象媒体のサイズに基づいて、Ｓ１０４（図３参照）で取り込まれた画像内に存在する読取対象媒体を検出し、当該画像内に存在する読取対象媒体の個数を特定する（Ｓ２０１）。なお、予め規定されている読取対象媒体のサイズは、例えば、キャッシュカード、クレジットカード、運転免許証、保険証のサイズといった一般的に知られているサイズや、自金融機関の通帳、振込券、帳票のサイズといった予め自金融機関内で定められているサイズである。また、読取対象媒体の検出は、例えばエッジ検出等の画像処理を用いて行う。
【００４１】
続いて、制御部１１は、Ｓ２０１で検出された画像内の各読取対象媒体に対して、Ｓ２０２乃至Ｓ２０７の処理を行う。すなわち、Ｓ２０２乃至Ｓ２０７の処理が、Ｓ２０１で特定された個数分、繰り返される。
【００４２】
具体的には、まず、Ｓ２０１で検出された画像内の読取対象媒体の中で、未だＳ２０２乃至Ｓ２０７の処理対象とされていない読取対象媒体の一つを処理対象とし、その処理対象とする読取対象媒体が、自金融機関の読取対象媒体（キャッシュカード、クレジットカード、通帳、振込券、又は帳票）、運転免許証、保険証の何れかであるか否かを判定する（Ｓ２０２）。なお、それが自金融機関の読取対象媒体であった場合には、それが自金融機関のキャッシュカード、クレジットカード、通帳、振込券、又は帳票であるかも判定する。また、処理対象とする読取対象媒体が、自金融機関の読取対象媒体、運転免許証、保険証の何れでもない場合には、それを、その他の読取対象媒体として判定する。このＳ２０２の判定は、例えば、予め規定されている読取対象媒体のサイズや予め規定されている自金融機関の読取対象媒体、運転免許証、保険証の画像パターン等に基づいて、エッジ検出やパターンマッチング等の画像処理を用いて行う。例えば、読取対象媒体が運転免許証であるか否かは、読取対象媒体の定位置における顔写真の有無等に基づいて判定を行うことができる。また、例えば、読取対象媒体がクレジットカードであるか否かは、ホログラムの有無等に基づいて判定を行うことができる。また、例えば、読取対象媒体が自金融機関のキャッシュカードであるか否かは、絵柄等のデザインに基づいて判定を行うことができる。このように、Ｓ２０２では、処理対象とする読取対象媒体の種別も判定される。
【００４３】
Ｓ２０２がＹｅｓの場合、続いて制御部１１は、処理対象とする読取対象媒体から読み取り可能な入力項目に対応する文字列があるか否かを判定する（Ｓ２０３）。なお、この判定は、例えば文字認識等の技術を用いて行う。例えば、入力項目に対応する文字列がかすれていて読み取れない場合には、Ｓ２０３の判定結果がＮｏとなる。
【００４４】
Ｓ２０３がＹｅｓの場合、続いて制御部１１は、処理対象とする読取対象媒体から、読み取り可能な入力項目に対応する文字列を読み取り、そのデータを処理対象とする読取対象媒体の種別を示す種別データに関連付けて、制御部１１のＲＡＭに記憶されている第１テーブルに格納する（Ｓ２０４）。なお、処理対象とする読取対象媒体の種別は、Ｓ２０２で判定されている。また、処理対象とする読取対象媒体が、発行（交付）年月日や有効期限を読み取り可能な読取対象媒体（例えば運転免許証、帳票、クレジットカード等）である場合には、その発行（交付）年月日や有効期限も読み取り、そのデータも更に関連付けて第１テーブルに格納する。
【００４５】
一方、Ｓ２０３の判定結果がＮｏの場合、又は、Ｓ２０２の判定結果がＮｏの場合には、続いて制御部１１は、処理対象とする読取対象媒体から読み取り可能な文字列があるか否かを判定する（Ｓ２０５）。なお、この判定は、例えば文字認識等の技術を用いて行う。
【００４６】
Ｓ２０５がＹｅｓの場合、続いて制御部１１は、非定型媒体処理を行う（Ｓ２０６）。なお、この非定型媒体処理は、例えば文字認識等の技術を用いて行う。
図５は、その非定型媒体処理（Ｓ２０６）の一例を示すフローチャートである。
【００４７】
図５に示したように、この非定型媒体処理では、まず制御部１１が、処理対象とする読取対象媒体から、読み取り可能な全行の文字列を読み出したか否かを判定する（Ｓ３０１）。
【００４８】
Ｓ３０１の判定結果がＮｏの場合、続いて制御部１１は、処理対象とする読取対象媒体から、未だ読み出していない、読み取り可能な一行分の文字列を読み出す（Ｓ３０２）。そして、Ｓ３０２で読み出した一行分の文字列の中に、入力項目自体の文字列（入力項目に実質同一の意味の文字列も含む）が含まれているか否かを判定する（Ｓ３０３）。例えば、Ｓ１０２（図３参照）で決定された入力項目の中に「氏名」が含まれていた場合であって、Ｓ３０２で読み出した一行分の文字列の中に「氏名」又は「おなまえ」が含まれていた場合には、Ｓ３０３の判定結果がＹｅｓとなる。
【００４９】
Ｓ３０３の判定結果がＹｅｓの場合、続いて制御部１１は、Ｓ３０２で読み出した一行分の文字列の中の、入力項目自体の文字列に続く文字列を、入力項目に対応する文字列とし、そのデータを処理対象とする読取対象媒体の種別を示す種別データに関連付けて、制御部１１のＲＡＭに記憶されている第１テーブルに格納する（Ｓ３０４）。
【００５０】
Ｓ３０４の後、又は、Ｓ３０３がＮｏの場合には、処理がＳ３０１へ戻る。
一方、Ｓ３０１の判定結果がＹｅｓの場合には、非定型媒体処理が終了し、処理がリターンする。
【００５１】
図４において、Ｓ２０６の非定型媒体処理の後、Ｓ２０５の判定結果がＮｏの場合、又は、Ｓ２０４の後、続いて制御部１１は、Ｓ２０１で検出された画像内の読取対象媒体の中で、未だＳ２０２乃至Ｓ２０７の処理対象とされていない読取対象媒体があるか否かを判定する（Ｓ２０７）。
【００５２】
Ｓ２０７の判定結果がＹｅｓの場合には、処理がＳ２０２へ戻る。
一方、Ｓ２０７の判定結果がＮｏの場合には、媒体判別処理が終了し、処理がリターンする。
【００５３】
図３において、Ｓ１０５の媒体判別処理の後、続いて制御部１１は、取引データ作成処理を行う（Ｓ１０６）。
図６は、その取引データ作成処理（Ｓ１０６）の一例を示すフローチャートである。
【００５４】
図６に示したように、この取引データ作成処理では、まず制御部１１は、制御部１１のＲＡＭに記憶されている第１テーブルに格納されているデータの中から、抽出可能な入力項目に対応するデータを全て抽出したか否かを判定する（Ｓ４０１）。
【００５５】
Ｓ４０１の判定結果がＮｏの場合、続いて制御部１１は、未だデータを抽出していない入力項目の一つに対応するデータを、予め決められているデータ抽出に関する読取対象媒体の優先順位に従って第１テーブルから抽出し、それを制御部１１のＲＡＭに記憶されている第２テーブルに格納する（Ｓ４０２）。なお、第１テーブルに格納されているデータは、読取対象媒体の種別データに関連付けされて格納されているので、データ抽出に関する読取対象媒体の優先順位に従って、未だデータを抽出していない入力項目の一つに対応するデータを第１テーブルから抽出することができる。データ抽出に関する読取対象媒体の優先順位は、高いものから順に、例えば、運転免許証、保険証、自金融機関（但し提携先金融機関を除く）の通帳、自金融機関（但し提携先金融機関を除く）のキャッシュカード、自金融機関（但し提携先金融機関を除く）の前に使用した帳票、自金融機関（但し提携先金融機関を除く）のクレジットカード、提携先金融機関の通帳、提携先金融機関のキャッシュカード、提携先金融機関の前に使用した帳票、提携先金融機関のクレジットカード、他金融機関の読取対象媒体等という順である。これにより、第１テーブルにおいて、異なる複数の読取対象媒体の種別データに、同一の入力項目に対応するデータが関連付けされていた場合には、データ抽出に関する優先順位が最も高い読取対象媒体の種別データに関連付けされている入力項目に対応するデータが抽出されるようになる。
【００５６】
続いて制御部１１は、Ｓ４０２で第２テーブルへ格納したデータの入力項目が住所であって、且つ、住所の入力項目に対応するデータが第１テーブルに複数格納されているか否かを判定する（Ｓ４０３）。
【００５７】
Ｓ４０３の判定結果がＹｅｓの場合、続いて制御部１１は、同一項目判定処理を行う（Ｓ４０４）。
図７は、その同一項目判定処理（Ｓ４０４）の一例を示すフローチャートである。
【００５８】
図７に示したように、この同一項目判定処理では、まず制御部１１は、第１テーブルに複数格納されている住所の入力項目に対応するデータがそれぞれ同じ住所を示すデータであるか否かを判定する（Ｓ５０１）。
【００５９】
Ｓ５０１の判定結果がＮｏの場合、続いて制御部１１は、第１テーブルに複数格納されている住所の入力項目に対応するデータの中で、異なる発行（交付）年月日のデータが関連づけされているデータがあるか否かを判定する（Ｓ５０２）。なお、異なる発行（交付）年月日のデータが関連づけされている種別データの読取対象媒体としては、例えば、免許証、自金融機関の帳票等が考えられる。
【００６０】
Ｓ５０２の判定結果がＹｅｓの場合、続いて制御部１１は、第１テーブルに格納されている、異なる発行（交付）年月日のデータが関連づけされている住所の入力項目に対応するデータの中で、最新の発行（交付）年月日のデータが関連づけされている住所の入力項目に対応するデータを抽出し、これを、Ｓ４０２（図６参照）で第２テーブルへ格納した住所の入力項目に対応するデータと入れ換える（Ｓ５０３）。すなわち、第２テーブルには、住所の入力項目に対応するデータとして、Ｓ５０３で抽出された、最新の発行（交付）年月日のデータが関連づけされている住所の入力項目に対応するデータが格納される。
【００６１】
Ｓ５０３の後、Ｓ５０１の判定結果がＹｅｓの場合、又は、Ｓ５０２の判定結果がＮｏの場合には、同一項目判定処理が終了し、処理がリターンする。
図６において、Ｓ４０４の同一項目判定処理の後、又は、Ｓ４０３がＮｏの場合、続いて制御部１１は、Ｓ４０２で第２テーブルに格納されたデータ、又は、Ｓ４０４の同一項目判定処理（図７のＳ５０３）の中で第２テーブルへ入れ換えられた住所の入力項目に対応するデータに、補正を要する部分が含まれているか否かを判定する（Ｓ４０５）。この判定では、例えば、データが「｜」を含む数字文字列を含む場合、「｜」は前後の文脈（数字文字列）から「１」である可能性が高いので、補正を要する部分が含まれているとして、判定結果がＹｅｓとなる。また、例えば、データが「｜」を含む英字文字列を含む場合、「｜」は前後の文脈（英字文字列）から「Ｉ」である可能性が高いので、補正を要する部分が含まれているとして、判定結果がＹｅｓとなる。
【００６２】
Ｓ４０５がＹｅｓの場合、続いて制御部１１は、補正を要する部分を補正する（Ｓ４０６）。例えば、データが「｜」を含む数字文字列を含む場合、「｜」は「１」へ補正される。また、例えば、データが「｜」を含む英字文字列を含む場合、「｜」は「Ｉ」へ補正される。
【００６３】
Ｓ４０６の後、又は、Ｓ４０５の判定結果がＮｏの場合には、処理がＳ４０１へ戻る。
一方、Ｓ４０１の判定結果がＹｅｓの場合には、続いて制御部１１は、Ｓ１０１（図３参照）で表示した取引選択画面（図９参照）から顧客により選択された取引が、支払方法の選択が許容されている取引（例えば「税金・料金払込み」）であるか否かを判定する（Ｓ４０７）。
【００６４】
Ｓ４０７の判定結果がＹｅｓの場合、続いて制御部１１は、支払方法選択処理を行う（Ｓ４０８）。
図８は、その支払方法選択処理（Ｓ４０８）の一例を示すフローチャートである。
【００６５】
図８に示したように、この支払方法選択処理では、まず制御部１１は、自金融機関のキャッシュカード、クレジットカード、通帳等の、支払いに使用可能な読取対象媒体の種別データが、制御部１１のＲＡＭに記憶されている第１テーブルに格納されているか否かを判定する（Ｓ６０１）。
【００６６】
Ｓ６０１の判定結果がＹｅｓの場合、続いて制御部１１は、第１テーブルに格納されている、支払いに使用可能な読取対象媒体の種別データが、無効な有効期限のデータが関連付けされている読取対象媒体（例えばクレジットカード）の種別データのみであるか否かを判定する（Ｓ６０２）。なお、無効な有効期限とは、例えば、有効期限を過ぎているという意味である。
【００６７】
Ｓ６０２の判定結果がＮｏの場合、続いて制御部１１は、第１テーブルに格納されている、支払いに使用可能な読取対象媒体の種別データの中から（但し、無効な有効期限のデータが関連付けされている読取対象媒体の種別データを除く）、予め決められている支払方法に関する読取対象媒体の優先順位に従って、最も優先順位の高い読取対象媒体の種別データを選択する（Ｓ６０３）。なお、支払方法に関する読取対象媒体の優先順位は、高いものから順に、例えば、自金融機関（但し提携先金融機関を除く）の通帳、自金融機関（但し提携先金融機関を除く）のキャッシュカード、自金融機関（但し提携先金融機関を除く）のクレジットカード、提携先金融機関の通帳、提携先金融機関のキャッシュカード、提携先金融機関のクレジットカード等という順である。
【００６８】
続いて制御部１１は、第１テーブルに格納されている、Ｓ６０３で選択した読取対象媒体の種別データに関連付けされているデータの中から、支払いに必要なデータ（例えばクレジットカード番号、口座番号等のデータ）を抽出し、これを支払方法データとして制御部１１のＲＡＭに記憶されている第２テーブルに格納する（Ｓ６０４）。
【００６９】
Ｓ６０４の後、Ｓ６０１の判定結果がＮｏの場合、又は、Ｓ６０２の判定結果がＹｅｓの場合には、支払方法選択処理が終了し、処理がリターンする。
図６において、Ｓ４０８の支払方法選択処理の後、又は、Ｓ４０７がＮｏの場合には、取引データ作成処理が終了し、処理がリターンする。
【００７０】
図３において、Ｓ１０６の取引データ作成処理が終了すると、続いて制御部１１は、Ｓ１０２で決定された入力項目に対応するデータが全て第２テーブルに格納されているか否かを判定する（Ｓ１０７）。
【００７１】
Ｓ１０７の判定結果がＮｏの場合、続いて制御部１１は、顧客が所持する他の一つ以上の読取対象媒体を撮影台４上に載置するよう顧客に促すためのメッセージ画面を顧客側表示装置２に表示する（Ｓ１０８）。
【００７２】
ここで、顧客は、例えば、他の一つ以上の読取対象媒体を所持していた場合には、それを撮影台４上に、はみ出すことなく且つ重なることなく載置した後、タッチパネル操作により、Ｓ１０８で顧客側表示装置２に表示されたメッセージ画面内の例えば読取ボタンを押下したとする。或いは、顧客は、例えば、他の一つ以上の読取対象媒体を所持していない場合には、タッチパネル操作により、Ｓ１０８で顧客側表示装置２に表示されたメッセージ画面内の例えば取消ボタンを押下したとする。
【００７３】
制御部１１は、顧客のタッチパネル操作により、Ｓ１０８で顧客側表示装置２に表示されたメッセージ画面内の読取ボタン又は取消ボタンが押下されたか否かを判定する（Ｓ１０９）。
【００７４】
Ｓ１０９の判定結果が読取ボタンの押下であった場合には、処理がＳ１０４へ戻る。
一方、Ｓ１０９の判定結果が取消ボタンの押下であった場合、続いて制御部１１は、顧客のタッチパネル操作による、不足データの入力を受け付け、それを第２テーブルに格納する（Ｓ１１０）。なお、Ｓ１１０では、例えば、顧客に不足データの入力を促す不足データ入力画面が顧客側表示装置２に表示される。この不足データ入力画面から、顧客が、タッチパネル操作により不足データの入力を行うと、入力された不足データの確認画面が顧客側表示装置２に表示され、顧客は不足データの確認を行うことができる。
【００７５】
図１０は、Ｓ１１０で顧客側表示装置２に表示された不足データ入力画面の一例である。図１０に示した例は、顧客の選択した取引が「お振込」の場合であって、不足データが「金融機関名」であった場合の不足データ入力画面である。この不足データ入力画面では、顧客は、タッチパネル操作により「金融機関名」を入力した後、「確認」ボタン５１を押下することによって、不足データの入力を行うことができる。
【００７６】
図１１は、Ｓ１１０で顧客側表示装置２に表示された確認画面の一例である。図１１に示した例は、図１０に示した不足データ入力画面において、顧客のタッチパネル操作により「金融機関名」として「○○○銀行」が入力され、「確認」ボタン５１が押下されたときの確認画面である。この確認画面では、顧客は、入力した不足データの確認ができる。また、顧客は、タッチパネルの操作により、表示されている入力項目に対応する「変更」ボタン６１を押下することによって、その入力項目に対応するデータを変更することも可能である。なお、「変更」ボタン６１が押下されて、対応するデータの変更が行われると、第２テーブルに格納されている対応するデータが変更される。また、この確認画面では、顧客が、タッチパネル操作により「確認」ボタン６２を押下すると、Ｓ１１０が終了することになる。
【００７７】
図３において、Ｓ１１０の後、又は、Ｓ１０７の判定結果がＹｅｓの場合、続いて制御部１１は、制御部１１のＲＡＭに記憶されている第２テーブルに格納されているデータに基づいて、取引データ確認画面の表示等を行う（Ｓ１１１）。なお、この時の第２テーブルに格納されているデータは、自動生成された取引データでもある。
【００７８】
図１２は、Ｓ１１１で顧客側表示装置２に表示された取引データ確認画面の一例である。図１２に示した例は、顧客の選択した取引が「お振込」の場合の取引データ確認画面である。この取引データ確認画面では、顧客は、最終的な取引データの確認ができる。また、顧客は、タッチパネルの操作により、表示されている入力項目に対応する「変更」ボタン７１を押下することにより、その入力項目に対応するデータを変更することも可能である。なお、「変更」ボタン７１が押下されて、対応するデータの変更が行われると、第２テーブルに格納されている対応するデータが変更される。さらに、この取引データ確認画面では、顧客が、タッチパネル操作により、「他の入力項目表示」ボタン７２を押下すると、他の入力項目に対応するデータを同様に表示させることもできる。また、顧客が、タッチパネル操作により、「確認」ボタン７３を押下すると、Ｓ１１１が終了することになる。
【００７９】
図３において、Ｓ１１１が終了すると、取引データ自動生成処理が終了する。
このようにして自動生成された取引データは、その後、例えば、記録装置１５に記録されるか、或いは、ＬＡＮ端子１９を介して外部システムへ送信される。
【００８０】
以上のように、本実施形態に係る顧客操作型端末装置によれば、撮影台４上に複数の読取対象媒体が載置されて撮影カメラ３による撮影が行われた場合には、仮に一つの入力項目に対応する事項が複数の読取対象媒体の各々から得られたとしても、データ抽出に関する読取対象媒体の優先順位に従ってそのうちの一つの事項が抽出されるので、より適切な、入力項目に対応する事項を抽出することができる。また、このときに、住所の入力項目に対応する事項が複数の読取対象媒体の各々から得られた場合には、更に読取対象媒体の発行（交付）年月日も考慮されてそのうちの一つの事項が抽出されるので、より適切な、住所の入力項目に対応する事項（例えば最新の住所）を抽出することができる。さらに、顧客により選択された取引が、支払方法の選択が許容されている取引（例えば「税金・料金払込み」）であって、且つ、支払いに使用可能な一つ以上の読取対象媒体が含まれていた場合には、支払方法に関する読取対象媒体の優先順位に従って、そのうちの一つの読取対象媒体（但し無効な有効期限の読取対象媒体を除く）から読み取られたデータの中の支払いに必要なデータ（支払方法データ）が抽出されるので、より適切な支払方法データを抽出することができる。
【００８１】
従って、顧客は、自身が所持する一つ以上の読取対象媒体を撮影台４上に載置して撮影カメラ３に撮影させるだけで、所望の取引に必要な入力項目の事項を入力することができる。よって、顧客は、所望の取引に係る必要事項の入力を容易に行うことができる。また、撮影台４上に載置される読取対象媒体は一つに限らず複数でも良いので、顧客は、複数の読取対象媒体を所持していた場合に、何れの読取対象媒体を撮影台４上に載置させるべきかといった判断を行う必要はない。
【００８２】
なお、本実施形態に係る顧客操作型端末装置においては各種の変形が可能である。
例えば、図３のＳ１０４において、撮影（画像の取り込み）を複数回行って複数の画像を取得し、その複数の画像の中で読取対象媒体の検出や文字認識等に最も適した画像を選択し、その画像を用いて後続の処理を行うようにすることも可能である。
【００８３】
また、図６のＳ４０２において、入力項目の一つに対応する、異なる複数のデータが第１テーブルに格納されていた場合に、そのうちの何れを抽出するかを顧客に選択させるようにすることも可能である。この場合、その選択は、例えば、選択画面を顧客側表示装置２に表示し、その選択画面を介して行われる。
【００８４】
図１４は、その選択画面の一例を示す図である。図１４に示した例は、顧客の選択した取引が「お振込」の場合であって、依頼人電話番号の入力項目に対応する、異なる４つのデータが第１テーブルに格納されていた場合の例である。この選択画面では、顧客は、タッチパネルの操作により、その４つのデータに係る電話番号の中から、対応する電話番号の「選択」ボタン８１を押下することによって、抽出する依頼人電話番号として、所望の電話番号を選択することができる。或いは、顧客は、その選択画面内に正しい電話番号が無い場合には、タッチパネル操作により、「番号入力」ボタン８２を押下することによって、抽出する依頼人電話番号として、正しい電話番号を入力することもできる。
【００８５】
また、本実施形態に係る顧客操作型端末装置は、次のようなコンピュータシステムを含む構成とすることも可能である。
図１５は、そのコンピュータシステムの構成例を示す図である。
【００８６】
図１５に示したように、このコンピュータシステムは、ＣＰＵ１０１、ＲＯＭ１０２、ＲＡＭ１０３、通信インタフェース１０４、記憶装置１０５、入出力装置１０６、可搬型記憶媒体の読取り装置１０７、及び、これらの全てが接続されたバス１０８を含む。ここで、ＣＰＵ１０１、ＲＯＭ１０２、ＲＡＭ１０３は、例えば、制御部１１のＣＰＵ、ＲＯＭ、ＲＡＭに対応する。記憶装置１０５は、例えば、記録装置１５に対応する。記憶装置１０５としては、ハードディスクや磁気ディスクなど様々な形式の記憶装置を使用することができる。記憶装置１０５又はＲＯＭ１０２に、顧客操作型端末装置が行う動作（例えば図３乃至図８に示したフローチャートの動作）のためのプログラム等が記憶される。そして、そのプログラムがＣＰＵ１０１によって実行されることにより、その動作が実現される。
【００８７】
このようなプログラムは、プログラム提供者端末１０９からネットワーク１１０、および通信インタフェース１０４を介して、例えば記憶装置１０５に格納されて、ＣＰＵ１０１によって実行されることも可能である。なお、ネットワーク１１０は例えばＬＡＮであり、通信インタフェース１０４の一部は、例えば、ＬＡＮ端子１９に対応する。
【００８８】
また、そのようなプログラムは、市販され、流通している可搬型記憶媒体１１１に格納され、読取り装置１０７にセットされて、ＣＰＵ１０１によって実行されることも可能である。可搬型記憶媒体１１１としてはＣＤ−ＲＯＭ、フレキシブルディスク、光ディスク、光磁気ディスク、ＤＶＤディスク、ＵＳＢメモリなど様々な形式の記憶媒体を使用することができる。
【００８９】
入出力装置１０６は、例えばキーボード、ポインティングデバイス、タッチパネル等の入力装置と、例えばディスプレイ、プリンタ、スピーカ等の出力装置を含み、例えば、顧客側表示装置２と行員側表示装置５に対応する。
【００９０】
以上、実施形態を説明したが、本発明は、上述した実施形態に限定されることなく、本発明の要旨を逸脱しない範囲内で種々の改良・変更が可能である。
【符号の説明】
【００９１】
１          装置本体
１ａ        紙幣投入部
１ｂ        硬貨投入部
２          顧客側表示装置
２ａ        表示部
２ｂ        タッチパネル部
３          撮影カメラ
４          撮影台
５          行員側表示装置
５ａ        表示部
５ｂ        タッチパネル部
１１        制御部
１２        紙幣ユニット
１３        硬貨ユニット
１４        ＵＰＳ
１５        記録装置
１６        内部時計
１７        ＵＳＢ端子
１８        ＲＳ２３２Ｃ端子
１９        ＬＡＮ端子
２０        プリンタ
３１、３２、３３、３４  ボタン
４１        キャッシュカード
４２        振込券
４３        免許証
４４        帳票
４５        通帳
４６        手書きメモ紙
５１        ボタン
６１、６２  ボタン
７１、７２、７３  ボタン
８１、８２  ボタン
１０１      ＣＰＵ
１０２      ＲＯＭ
１０３      ＲＡＭ
１０４      通信インタフェース
１０５      記憶装置
１０６      入出力装置
１０７      可搬型記憶媒体の読取り装置
１０８      バス
１０９      プログラム提供者端末
１１０      ネットワーク
１１１      可搬型記憶媒体
【図２】
2013073397.tif 000003
【図３】
2013073397.tif 000004
【図４】
2013073397.tif 000005
【図５】
2013073397.tif 000006
【図６】
2013073397.tif 000007
【図７】
2013073397.tif 000008
【図８】
2013073397.tif 000009
【図１５】
2013073397.tif 000010
【図１】
2013073397.tif 000011
【図９】
2013073397.tif 000012
【図１０】
2013073397.tif 000013
【図１１】
2013073397.tif 000014
【図１２】
2013073397.tif 000015
【図１３】
2013073397.tif 000016
【図１４】
2013073397.tif 000017